(57)【要約】【課題】巻き取りドラムに補正リングを介してシャッターカーテンを連結する場合に、異なる意匠のシャッターカーテンを共通の巻き取りドラムにバランスよく巻装できるように構成とする。【解決手段】第一、第二補正リング６、９を、内周形状は共通の巻き取りドラム４に回り止め状に外嵌する形状とする一方、外周形状は、第一、第二シャッターカーテン１、１３を構成する第一、第二スラット２、１２に対応する補正段差部６ｉ、１０ｉが形成されたものに構成し、巻き取りドラム４に第一、第二補正リング６、９の何れかを外嵌することで、巻き取りドラム４に連結するシャッターカーテンを、第一または第二シャッターカーテン１または１３とすることができるように構成する。【選択図】図１
2007138570.tif 000002
【特許請求の範囲】
【請求項１】
複数のスラットを連装してなるシャッターカーテンを、シャッターカーテンの巻形を円形状に補正する補正リングを介して巻き取りドラムに巻装してなる建築用シャッターにおいて、前記補正リングは、内周が巻き取りドラムの外周に回り止め状に外嵌可能に形成され、外周に、スラット連結部におけるシャッターカーテンの巻き出し方向基端側に位置して、スラット厚に相当する補正用段差部が形成されるものとし、予め、共通の巻き取りドラムに外嵌可能で、外周が各スラット形状毎にそれぞれ対応する形状に形成された補正リングを複数種類用意して、一種類の巻き取りドラムに複数種類のシャッターカーテンを連結可能に構成したシャッターカーテン巻き取り装置。
【請求項２】
補正リングの外周は、補正用段差部および／または外径寸法が異なる形状に形成されている請求項１に記載のシャッターカーテン巻き取り装置。
【請求項３】
補正リングは、分断部が形成され、分断部における端部同士を拡開することで巻き取りドラムに装着されるように構成されている請求項１または２の何れか一項に記載のシャッターカーテン巻き取り装置。
【請求項４】
補正リングは、分断部における一方の端部に係止爪が形成され、該係止爪を、巻き取りドラムに形成された長溝に係止することで、回り止めされた状態で外嵌するように構成されている請求項１乃至３の何れか一項に記載のシャッターカーテン巻き取り装置。
【発明の詳細な説明】
【技術分野】
【０００１】
本発明は、建築物の開口部等に建付けられるシャッターカーテン巻き取り装置の技術分野に属するものである。
【背景技術】
【０００２】
一般に、住宅の車庫や倉庫の出入り口部等、建築物の開口部に建付けられる建築用シャッターにおいては、複数枚のスラットを連装して構成されたシャッターカーテンを、開口部上方に設けた巻き取りドラムに連結して巻装し、該巻き取りドラムの正逆回転によりシャッターカーテンの巻き出し、巻き取りをして、開口部の開閉をするように構成したものがある。このようなものにおいて、真円状の巻き取りドラムにシャッターカーテンを巻装する場合、巻き取りドラムに巻き取られたシャッターカーテンの巻形は、一層巻き目から二層巻き目に移行する部位において巻き取りドラムとシャッターカーテンとの連結部の段差がそのまま突出して滑らかな円形状とはならない。このような巻き形状のものでは、巻き取りドラムの重量バランスが偏ったものとなり、このため、シャッターカーテンを開閉操作する際に、操作力が不安定となり、円滑、かつ、静粛な開閉作動が損なわれてしまうという不具合がある。
【０００３】
この改善策として、巻き取りドラムとシャッターカーテンとのあいだに、巻形を補正する補正リングを設けて、巻形をできる限り円形状に近付けるようにしたものが提唱されている。前記補正リングの一例としては、外周に補正用段差部を設けて、該補正用段差部から偏芯した外径を有した傾斜面が形成されたものとし、該補正リングを、巻き取りドラムの軸芯方向複数箇所に外嵌せしめ、補正リングの補正用段差部に、シャッターカーテンを構成する最上端のスラットの上縁部を突き当てるように連結することで、該最上端スラット連結部における外径と補正用段差部の外径とが略同寸法となるようにして滑らかな巻形となるようにしている。
【特許文献１】特開平１１−５０７６７号公報
【発明の開示】
【発明が解決しようとする課題】
【０００４】
ところで、シャッターカーテンを構成するスラットは、近年の多様化に伴い、金属製板材をロール成形して形成されるもの等、種々の材質、種々の形状のものがあり、各スラット同士の連結状態についても種々のものが提供されている。そして、スラットをロール成形し、上下縁部に連結部を折曲形成し、これら連結部同志を一体的に連結することでシャッターカーテンを形成するものでは、スラットの表裏方向の厚さは、金属製板材の板厚そのものではなく、連結部やこれら連結部のあいだの本体部に折曲部を形成すること等により生じるスラット厚として設定される。このように、多様化して、各スラットのスラット厚やスラットピッチ等の形状要素が種々異なるものが用意されることに対し、これら多様化されたスラットにより構成されるシャッターカーテンを、バランスよく巻き取りドラムに巻装することが要求されるが、各スラット毎に対応する巻き取りドラムと補正リングとの両者を用意するのでは、部品点数も多くなり在庫管理の面からも困難であって、速やかな対応ができず問題があり、ここに本発明の解決すべき課題がある。
【課題を解決するための手段】
【０００５】
本発明は、上記の如き実情に鑑みこれらの課題を解決することを目的として創作されたものであって、請求項１の発明は、複数のスラットを連装してなるシャッターカーテンを、シャッターカーテンの巻形を円形状に補正する補正リングを介して巻き取りドラムに巻装してなる建築用シャッターにおいて、前記補正リングは、内周が巻き取りドラムの外周に回り止め状に外嵌可能に形成され、外周に、スラット連結部におけるシャッターカーテンの巻き出し方向基端側に位置して、スラット厚に相当する補正用段差部が形成されるものとし、予め、共通の巻き取りドラムに外嵌可能で、外周が各スラット形状毎にそれぞれ対応する形状に形成された補正リングを複数種類用意して、一種類の巻き取りドラムに複数種類のシャッターカーテンを連結可能に構成したシャッターカーテン巻き取り装置である。
請求項２の発明は、補正リングの外周は、補正用段差部および／または外径寸法が異なる形状に形成されている請求項１に記載のシャッターカーテン巻き取り装置である。
請求項３の発明は、補正リングは、分断部が形成され、分断部における端部同士を拡開することで巻き取りドラムに装着されるように構成されている請求項１または２の何れか一項に記載のシャッターカーテン巻き取り装置である。
請求項４の発明は、補正リングは、分断部における一方の端部に係止爪が形成され、該係止爪を、巻き取りドラムに形成された長溝に係止することで、回り止めされた状態で外嵌するように構成されている請求項１乃至３の何れか一項に記載のシャッターカーテン巻き取り装置である。
【発明の効果】
【０００６】
請求項１の発明とすることにより、一種類の巻き取りドラムを用意し、予め複数用意した補正リングを取り換えるだけでシャッターカーテンの意匠を変えることができるので、多様化するシャッターカーテンに対して部品点数を削減し、在庫管理を容易に行うことが可能となる。
請求項２の発明とすることにより、一種類の巻き取りドラムに多様なシャッターカーテンをバランスよく巻装することができ、汎用性を高めることができる。
請求項３の発明とすることにより、補正リングを作業性よく装着することができる。
請求項４の発明とすることにより、補正リングの巻き取りドラムへの取り付け、固定作業を一層容易にすることができる。
【発明を実施するための最良の形態】
【０００７】
つぎに、本発明の実施の形態について、図面に基づいて説明する。
図面において、１は建築物の開口部に建付けられる建築用シャッターの第一のシャッターカーテンであって、該第一シャッターカーテン１は、左右方向長尺状に形成された第一スラット２を用いて構成されている。このように構成された第一シャッターカーテン１は、開口部上部に固定されたシャッターケース３に回転自在に内装され、巻き取り装置を構成する巻き取りドラム４に連結されており、該巻き取りドラム４の正逆回転駆動に伴い、巻き取りドラム４に巻き取られて開口部を開放する開放姿勢と、巻き取りドラム４から巻き出されて開口部を閉鎖する全閉姿勢とのあいだを姿勢変姿して、開口部の開閉作動を行うように設定されており、これらの基本構成は、何れも従来通りに構成されている。
尚、５は第一シャッターカーテン１の左右両側縁部を移動案内するガイドレールである。
【０００８】
前記第一スラット２は、左右方向長尺状の金属性板材をロール成型して構成されたものであり、長手方向となる上下の縁部には、上、下側連結部２ａ、２ｂがそれぞれ形成され、これら上、下側連結部２ａ、２ｂのあいだに本体部２ｃが形成されている。尚、第一スラット本体部２ｃは略平板状に形成されており、第一スラット２の上、下側連結部２ａ、２ｂ同士を一体的に連結し、一連状に連装したシャッターカーテン１に構成したとき、カーテン面がフラット面となるような形状となっている。
【０００９】
前記巻き取りドラム４は、シャッターケース３を構成する左右ブラケット３ａに固定支持される固定軸４ａと、該固定軸４ａに一体的に外嵌し、固定軸４ａに回転自在に支持される巻き胴４ｂと、一端が固定軸４ａに固定され他端が巻き胴４ｂに固定される図示しないバランス弾機等を用いて構成されている。そして、巻き胴４ｂは、長尺状金属製板材を折曲することによりリング状に形成されており、外周には、内径方向に向けて凹状であり、軸芯方向に長い一本の固定用長溝４ｃ（本発明の長溝に相当する）と、同様に軸芯方向に長い五本の回り止め用長溝４ｄとが形成されている。前記固定用長溝４ｃは、巻き胴４ｂの外周面側となる溝開口に開口片４ｅを備えた形状に形成されており、後述する第一補正リング６を巻き取りドラム４に装着（外嵌）する際の回り止め用に用いられるとともに、第一補正リング６の固定用として用いられるように設定されている。また、回り止め用長溝４ｄは、第一補正リング６の巻き取りドラム４に対する回り止めとして機能するように設定されるが、これら長溝４ｃ、4ｄを形成することにより、巻き胴４ｂの強度アップが図られている。
【００１０】
さて、前記第一補正リング６は、シャッターカーテン１と巻き取りドラム４との一体的な連結部に介装される部材であって、巻き取りドラム４（巻き胴４ｂ）の外周に一体的に外嵌（嵌着）するように構成されている。
前記第一補正リング６は、樹脂材により所定幅を有したリング状体を一箇所において分断した形状に形成されており、該分断部Ｓとなる長手方向一方の端部（一方端部）６ａと他方の端部（他方端部）６ｂと、これらのあいだの本体部６ｃとを備えて構成されている。そして、前記両端部６ａ、６ｂ同士を把持して互いに離間する方向に押しやることで本体部６ｃが弾性変形し、両端部６ａ、６ｂのあいだに（分断部Ｓが分断して）大きな隙間が形成される拡開状態となり、また、両端部６ａ、６ｂ同士を後述するように係止させることでリング状に連結されるように構成されている。
【００１１】
前記分断部Ｓの一方端部６ａには、端面を周回り方向に凹設する状態の係止凹部６ｄが形成されており、該係止凹部６ｄの開口端部には、幅方向両端部から開口を塞ぐ方向を向いて延出する一対の係止片６ｅが形成され、係止凹部６ｄを蟻溝形状にしている。さらに、一方端部６ａの内周面には、幅方向両端部に内径側に向けて突出する一対の係止爪６ｆが形成されている。また、前記分断部Ｓの他方の端部６ｂには、前記蟻溝状の係止凹部６ｄに内嵌するべく、幅方向に膨出する係止突部６ｇが形成されており、該係止突部６ｇを前記係止凹部６ｄに内嵌させることにより両端部６ａ、６ｂ同士の連結がなされるが、この状態において、係止突部６ｇの幅方向膨出部が係止片６ｅに係止することで、周回り方向の抜け止めがなされた状態で連結されるように設定されている。尚、第一補正リング６の一方端部６ａから本体部６ｃを経由して他方端部６ｂに至る周長は、巻き胴４ａ（巻き取りドラム４）の外周長さよりも連結部における長さ分だけ長く形成されている。さらに、係止突部６ｇには、巻き取りドラム４に固定するための止め螺子７が貫通するための貫通孔６ｈが開設されている。
尚、第一補正リング６の分断部Ｓにおける両端部６ａ、６ｂは、本体部６ｃよりも板厚が厚く形成され、これによって、該部位における弾性変形は生じにくくなるとともに、周回り方向の抜け止めが確実になされるようにしている。
【００１２】
そして、第一補正リング６は、前記一方、他方端部６ａ、６ｂ同士を連結した状態で、巻き胴４ｂ（巻き取りドラム４）の外周面に沿う内径となるように設定されるが、このようにリング状に連結した状態において、第一補正リング６は、図３（Ｂ）に示すように、本体部６ｃの外周面における他方端部６ｂ側に位置し、外径側に突出する補正用段差部６ｉが形成されており、該補正用段差部６ｉから他方端部６ｂを経由することなく本体部６ｃ側に向かう外周面が次第に小径となる傾斜面６ｊに形成されている。
【００１３】
そして、第一補正リング６の外周形状となる外径寸法については、第一スラット２のスラット厚、即ち、本実施の形態の第一スラット２では、上、下側連結部２ａ、２ｂを折曲形成することにより設定される厚さや、上下方向の長さ（ピッチ）、さらには、第一スラット２における連結部２ａ、２ｂの形成位置等、種々の形状要素に基づいて設定されている。さらに、補正リング６の補正用段差部６ｉについては、その突出量が第一スラット２のスラット厚に基づいて設定されている。これによって、補正用段差部６ｉと他方端部６ｂまでの周回り長さが、スラット２の幅寸法（上下方向幅）となり、分断部Ｓにスラット本体部６ｃを固定したとき、スラット２の上側連結部２ａが、補正用段差部６ｉの他方端部６ｂ側に形成される凹部６ｑに対向し、上側連結部２ａを内装するような位置関係となるように設定されている。
【００１４】
さらに、本体部６ｃの内周面には、巻き胴４ｂの外周に形成された回り止め用長溝４ｄのうち、固定用長溝４ｃの周回り方向両側の二つづつの回り止め用長溝４ｄに嵌入可能な都合四つの回り止め片６ｋが内径側に突出状に形成されている。さらに、これら回り止め片６ｋのうち、一方端部６ａ側に位置する二つの回り止め片６ｋのあいだには、内周側を切り落とすことで肉薄部６ｍが形成されている。これによって、第一補正リング６は、肉薄部６ｍの積極的な弾性変形により、一方端部６ａ側の半部において弾性変形し易くなるように構成されている。これに対し、外周に傾斜面６ｊが形成されている部位、即ち、他方端部６ｂ側に位置する二つの回り止め片６ｋのあいだには、幅方向（左右方向幅）に長い幅方向リブ６ｎが形成され、さらに、前記二つの回り止め片６ｋのあいだ、および、回り止め片６ｋと補正用段差部６ｉとのあいだには、リング幅方向中央部に位置して内径側に突出する周回り方向リブ６ｐが形成されている。これによって、第一補正リング６は、他方端部６ｂ側の半部において弾性変形がしにくくなるように構成されている。
【００１５】
つぎに、前記第一補正リング６を巻き取りドラム４に装着（外嵌）する手順を、図４、５の図面に基づいて説明する。
第一補正リング６を巻き取りドラム４の予め設定される長手方向（軸芯方向）任意の装着位置に嵌着させる場合に、まず、両端部６ａ、６ｂを弾性変形させる状態で拡開させ、図４（Ａ）に示すように、巻き取りドラム４の前記予め設定される装着位置の径方向外方からあてがい、一方端部６ａに形成される係止爪６ｆを巻き胴４ｂに形成される固定用長溝４ｃに嵌入させ、これによって、第一補正リング６を周回り方向の係止がなされた状態とする。このとき、一方端部６ａ側を、肉薄部６ｍにおける積極的な弾性変形に基づいて大きく変形させることにより、他方端部６ｂ側の半部の変形が殆どない状態であっても、係止爪６ｆを固定用長溝４ｃに嵌入させることができる。
尚、固定用長溝４ｃには、予め第一補正リング６の嵌着部位に位置して螺子受けプレート８が嵌入されているが、該螺子受けプレート８は、固定用長溝４ｃの溝開口に形成された開口片４ｅにより外径方向への抜け止めがなされるように設定されている。そして、第一補正リング６は、一対の係止爪６ｆが螺子受けプレート８を跨ぐようにして固定用長溝４ｃに嵌入するように設定されており、これによって、螺子受けプレート８は、係止爪６ｆを保持片として第一補正リング６に仮保持され、第一補正リング６を固定用長溝４ｃに対して軸芯方向にスライド移動させることに基づいて、第一補正リング６に追随して固定用長溝４ｃ内を移動するように構成されている。
ここで、前記螺子受けプレート８には、第一補正リング６を固定する止め螺子７が螺合する螺子溝８ａが刻設されており、第一補正リング６は、螺子受けプレート８とのあいだに位置する固定用長溝４ｃの開口片４ｅに対し、止め螺子７により緊締されるように設定されている。
【００１６】
前記係止爪６ｆが固定用長溝４ｃに嵌入した状態では、第一補正リング６は係止爪６ｆにより周回り方向の係止がなされる状態となり、これによって、該係止部を支点とすることで、第一補正リング６を押さえる等の操作をすることなく弾性変形させることができ、第一補正リング６の一方端部６ａ側の半部を巻き胴４ｂに沿うべく押し付けるように変形させることにより、第一補正リング６は、図４（Ｂ）に示すように、一方端部６ａ側に形成される回り止め片６ｋが巻き胴５ｂの回り止め用長溝４ｄに嵌入する。
続いて、第一補正リング６の他方端部６ｂ側を、巻き取りドラム４に沿わせるようにするが、このとき、他方端部６ｂは弾性変形しにくい形状であり、図４（Ｃ）に示すように、他方端部６ｂの係止突部６ｇの周回り面が、一方端部６ａの係止片６ｅの周回り方向先端面に当接する状態としたとき、他方端部６ｂ側の半部が巻き取りドラム４から離間した状態となっている。
【００１７】
この状態において、巻き取りドラム４から離間した第一補正リング６を、図５（Ａ）に示すように、第一補正リング６の下方部位から他方端部６ｂ側の半部に至る部位を巻き取りドラム４側に押し付けるようにすることで、他方端部６ｂ側の半部に形成された回り止め片６ｋが巻き胴４ｂに形成された回り止め用長溝４ｄに下側から順次嵌合することになるが、このとき、巻き胴４ｂ外周長さよりも長く寸法設定される第一補正リング６は、図５（Ｂ）に示すように、他方端部６ｂの係止突部６ｇが一方端部６ａに乗り上げる状態となる。そして、この状態から、さらに他方端部６ｂ側の半部を巻き胴４ｂに押し付けるようにすることにより、図５（Ｃ）に示すように、係止突部６ｇが一方端部６ａに形成された係止凹部６ｄに落ち込み、これによって、係止突部６ｇと係止凹部６ｄとは周回り方向の抜け止めがなされた係止状態で連結されるように設定されている。
【００１８】
この状態となると、第一補正リング６は、両端部６ａ、６ｂが周回り方向の抜け止めがなされ、分断部Ｓが形成されたものでありながら、一体的なリング状体として巻き取りドラム４に外嵌し、しかも、分断されるようなことはなく、作業者が分断部Ｓを押さえる等の操作をすることなく、連結状態が保持されるかり保持状態となるように構成されている。しかも、係止爪６ｆが固定用長溝４ｃに嵌入していることで、周回り方向の回り止めに加えて、周回り方向の位置決めがなされた状態となっている。これによって、第一補正リング６は、軸芯方向にスライド移動させることにより、周回り方向の位置決めがなされた状態で軸芯方向の位置調整を適宜行うことができ、このとき、螺子受けプレート８も第一補正リング６と一体にスライド移動することは、前述した通りである。
【００１９】
そして、螺子受けプレート８とともに第一補正リング６の取り付け位置を調整後、第一補正リング６の分断部Ｓに、シャッターカーテン１を構成する最上端の第一スラット２を突き当てて、該最上端スラット２と第一補正リング６とを、両者ともに止め螺子７を用いて巻き取りドラム４に固定するが、このとき、第一スラット２は、本体部２ｃが分断部Ｓに突き当てられ、上側連結部２ａが第一補正リング６の凹部６ｑに内嵌された状態となっている。この状態において、第一補正リング６は、前述したように、他方端部６ｂの係止突部６ｇが係止凹部６ｄに落ち込んで係止しており、一方端部６ａに保持された螺子受けプレート８の螺子孔８ａと、他方端部６ｂの係止突部６ｇに開設された貫通孔６ｈとが連通状態となっている。そして、最上端の第一スラット２の本体部２ｃに開設される螺子孔を、第一補正リング６の貫通孔６ｈと螺子受けプレート８の螺子溝８ａとに位置合せした状態で、止め螺子７を螺子溝８ａに螺合緊締することにより、第一スラット２と第一補正リング６とが巻き取りドラム４に一体化されるように設定されている。
因みに、止め螺子７による他方端部６ｂの固定状態において、一方端部６ａは、止め螺子７により周回り方向、および、軸芯方向の位置決めがなされた他方端部６ｂを介して軸芯方向の位置決めがなされ、さらには、係止爪６ｆによる周回り方向の回り止めがなされた状態で固定され、持って、両端部６ａ、６ｂとが巻き取りドラム４に対して位置ズレを生じない状態での固定がなされるように構成されている。
【００２０】
このとき、前記最上端の第一スラット２は、上側連結部２ａが補正用段差部６ｉと他方端部６ｂとのあいだに形成される凹部６ｑに落ち込んだ状態でセットされており、下側連結部２ｂに隣接するスラット２が連結される構成となっている。これによって、第一補正リング６の場合では、他方端部６ｂから直接一方端部６ａに向かう周回り方向がシャッターカーテン１の巻き出し方向に設定され、第一スラット２（シャッターカーテン１）の自重に基づく負荷は、直接巻き取りドラム４に固定される他方端部６ｂに作用し、しかも、該作用方向が一方端部６ａ側、係止方向に向けて作用するうえ、一方端部６ａに大きな負荷が作用することもなく、これによって、他方端部６ｂと一方端部６ａとの係止が外れてしまうような不具合がないように構成されている。
さらに、最上端の第一スラット２における外径と、第一補正リング６の補正用段差部６ｉにおける外径とが略同寸法となるため、最上端の第一スラット２に連装される第一スラット２を巻き取りドラム４の傾斜面６ｊに沿って巻装したとき、一層巻き目から二層巻き目に移行する部位に大きな段差ができることがなく、これによって、巻き取りドラム４へのシャッターカーテン１の巻装姿勢が滑らかな円形状になって荷重バランスのよいものになるように構成されている。、
【００２１】
そして、このように構成された前記建築用シャッターにおいて、前記巻き取りドラム４に外嵌する第一補正リング６を、後述する第二補正リング９に取り換えることにより、前記第一スラット２とは異なる第二スラット１２を連結し、該第二スラット１２に複数の第二スラット１２を連装して第二シャッターカーテン１３を構成したとき、共通の巻き取りドラム４を用いるものでありながら、第二シャッターカーテン１３の巻き取りドラム４への巻き形状を滑らかな円形状として巻装することができるように構成されている。
ここで、第二スラット１２は、第一スラット２と同様に長尺状の金属性板材をロール成型することにより折曲形成されており、上下の縁部に上、下側連結部１２ａ、１２ｂが形成され、これらのあいだに形成される本体部１２ｃは前後方向に湾曲する形状となっていて、これら第二スラット１２を連装することで構成される第二シャッターカーテン１３のカーテン面は、凹凸が形成されたものとなるように構成されている。そして、第二スラット１２のスラット厚は、上、下側連結部１２ａ、１２ｂ、本体部１２ｃを折曲形成することにより設定される厚さに基づいて設定されている。
【００２２】
つまり、第二補正リング９は、周回り方向二箇所に第一、第二分断部Ｓ１、Ｓ２が形成されている。これによって、第二補正リング９は、図７（Ｂ）において左右に分割可能な一対の左右半部１０、１１により二つ割り状に形成されている。そして、これら左右半部１０、１１は、何れのものも樹脂材を一体型成形することにより形成されており、左半部１０には、第一分断部Ｓ１を構成する上側端部に係止凹部１０ａが形成され、第二分断部Ｓ２を構成する下側端部に幅方向に延出する揺動軸１０ｂが一体形成されている。さらに、係止凹部１０ａの内周面には、巻き取りドラム４の固定用長溝４ｃに嵌合する係止爪１０ｃが内径側に突出形成されており、円弧状の内周面には、巻き取りドラム４の回り止め用長溝４ｄに嵌合して回り止めする回り止め片１０ｄが形成されている。
【００２３】
一方、第二補正リング９の右半部１１には、第一分断部Ｓ１を構成する上側端部に、前記係止凹部１０ａに嵌合する係止突部１１ａが形成され、第二分断部Ｓ２を構成する下側端部に、前記揺動軸１０ｂに揺動自在に外嵌する筒部１１ｂが形成されている。ここで、前記揺動軸１０ｂは面取り部１０ｅが形成されている一方、筒部１１ｂには外周部を一部切り欠いた開口１１ｃが形成されており、該開口１１ｃを揺動軸１０ｂの面取り部１０ｅ部位に対向させることで、揺動軸１０ｂに外嵌可能となり、揺動自在な連結をするように構成されている。そして、第二補正リング９は、左右半部１０、１１の第一分断部Ｓ１が大きく拡開する位置関係で、筒部１１ｂが、開口１１ｃから揺動軸１０ｂに外嵌することを許容するよう、開口１１ｃの切り欠き角度およびよび面取り部１０ｅの切り欠き角度の調整がなされている。さらに、右半部１１の円弧状の内周面には、巻き取りドラム４の回り止め用長溝４ｄに嵌合して回り止めする回り止め片１１ｄが形成されている。このように左右半部を構成することにより、内周部位に関しては第一補正リング６と同様に、巻き取りドラム４に回り止め状に外嵌する形状に形成されている。
【００２４】
さらに、前記係止凹部１０ａの幅方向両側の溝側面には係合用の凹部１０ｆが形成され、係止突部１１ａの幅方向溝側面には係合用の突部１１ｅが形成されており、係止凹部１０ａに係止突部１１ａが嵌入したとき、これら係合用の凹部１０ｆと突部１１ｅとが係合することにより、これら係止凹部１０ｃと係止突部１１ａとの抜け止め状の係止がなされるように設定されている。
さらに、これら左右半部１０、１１は、それぞれの内周面に、幅方向に延出する幅方向リブ１０ｇ、１１ｆ、周回り方向に延出する周回り方向リブ１０ｈ、１１ｇが形成されており、これによって、左右半部１０、１１の大きな弾性変形はしないように構成されている。
【００２５】
また、第二補正リング９では、左半部１０、即ち、係止凹部１０ａ形成部側に外径方向に突出する補正用段差部１０ｉと、該補正用段差部１０ｉから次第に小径となる傾斜面１０ｊが下方に向けて形成されている。
の第二補正リング９の外周形状である外径寸法については、前記第一補正リング６の場合と同様に、第二スラット１２のスラット厚、上下方向の長さ（ピッチ）、さらには、第二スラット１２における連結部１２ａ、１２ｂの形成位置等、種々の形状要素に基づいて設定されている。さらに、補正用段差部１０ｉの突出量については、第二スラット１２のスラット厚に略相当するように設定されている。これによって、第一分断部Ｓ１にスラット本体部１２ｃを固定したとき、補正用段差部１０ｉと係止凹部１０ａまでの周回り長さは、第二スラット１２の上側連結部１２ａが補正用段差部１０ｉの係止凹部１０ａに形成される凹部１０ｍに内装されるような位置関係となるように設定されている。
さらに、左半部の揺動軸１０ｂの幅方向両端部には、巻き取りドラム４の下端部に形成される回り止め用長溝４ｄに嵌合する嵌合支持部１０ｋが形成されている。
【００２６】
つぎに、前記第二補正リング９を巻き取りドラム４に装着（外嵌）する手順を、図８、９の図面に基づいて説明する。
最初に、第二補正リング９の左半部１０のみを巻き取りドラム４の予め設定される長手方向（軸芯方向）任意の装着位置に径方向外方から嵌着させるが、このとき、図８（Ａ）に示すように、下端部の嵌合支持部１０ｋを巻き取りドラム４の下方に位置する回り止め用長溝４ｄに摺動自在に押し付けるようにして支持せしめ、この状態から左半部を揺動させることで、図８（Ｂ）に示すように、係止凹部１０ａに形成される係止爪１０ｃを巻き胴４ｂの固定用長溝４ｃに嵌入させる。このとき、係止爪１０ｃが固定用長溝４ｃに予め内装された螺子受けプレート８の保持片となるよう、螺子受けプレート８の両端部を挟むように係止爪１０ｃを固定用長溝４ｃに嵌合させるが、係止爪１０ｃを固定用長溝に４ｃに嵌合させるには、左半部９を僅かに弾性変形させるようして巻き取りドラム４に押し付ける必要があり、このため、係止爪１０ｃは固定用長溝４ｃ形成部位に至ることで強制的な落ち込み作動をし、もって、左半部９の組み込みがなされるように設定され、この状態となると、左半部１０は、係止爪１０ｃによる周回り方向の位置決めがなされた状態で巻き取りドラム４に仮固定される。
【００２７】
続いて、巻き取りドラム４に仮固定された状態の左半部１０に、第二分断部Ｓ２を介して右半部１１を連結するが、右半部１１は、図８（Ｃ）に示すように、第一分断部Ｓ１が大きく拡開する状態、即ち、右半部１１の開口１１ｃが揺動軸１０ｂ形成部位の接線方向を向く姿勢とすることで、図９（Ａ）に示すように、左半部１０の揺動軸１０ｂに外嵌して揺動自在な状態で連結される。
そして、この状態から右半部１１を、図９（Ｂ）に示すように、第二分断部Ｓ２における揺動に基づいて巻き取りドラム４の外周に沿うよう近付け、係止突部１１ａを係止凹部１０ａに強く押し込むことで、図９（Ｃ）に示すように、周回り方向の抜け止めがなされた状態で第一分断部Ｓ１の連結がなされるように構成されている。
【００２８】
そして、第二補正リング９の巻き取りドラム４への取り付け位置を調整後、第二補正リング９の第一分断部Ｓ１に、シャッターカーテン１３を構成する最上端の第二スラット１２を突き当てて、該最上端スラット１２とともに巻き取りドラム４に止め螺子７を用いて固定するが、前記第二スラット１２は、本体部１２ｃを第一分断部Ｓ２に突き当て、上側連結部１２ａを凹部１０ｍに対抗させる状態として突き当てられている。これによって、最上端の第二スラット１２の上側連結部１２ａにおける外径と、補正用段差部１０ｉにおける外径との段差がなくなり、第二シャッターカーテン１３を巻装したとき、一層巻き目から二層巻き目に移行する部位に段差が形成されず、巻き取りドラム４への巻き姿勢を滑らかな円形状にすることができるように構成されている。因みに、第一分断部Ｓ１の周周り方向両端部には、それぞれ段差１０ｎ、１１ｈが形成され、それぞれ上、下側連結部１２ａ、１２ｂに当接して形状保護を図るように構成されている。
尚、この場合に、係止突部１１ａに開設される止め螺子７用の貫通孔１１ｈと、螺子受けプレート８の螺子溝８ａとが連通しており、ここに、第二スラット１２に形成される貫通孔を位置合せすることで、簡単に位置決めがなされた状態で止め螺子７による緊締ができることは、第一補正リング６と同様の構成である。
そして、このものでは、巻き取りドラム４に第二補正リング９を外嵌させることで、第二スラット１２により構成される第二シャッターカーテン１３を、巻き取りドラム４に円形状に巻装可能な状態で連結することができ、これによって、共通の巻き取りドラムに４に、異なるシャッターカーテン１、１３を巻装することができるように構成されている。
【００２９】
叙述の如く構成された本形態において、シャッターカーテン１が巻装される巻き取りドラム４には、補正用段差部６ｉが形成された第一補正リング６が外嵌状に装着されているため、第一補正リング６に連結されたシャッターカーテン１を巻き取りドラム４にバランスよく巻装することができ、開閉操作の操作力が均一となって、円滑、かつ、静粛な建築用シャッターとすることができるが、この場合に、同様の巻き取りドラム４に対し、第一補正リング６を第二補正リング９取り換えることにより、第一スラット２とは意匠の異なる第二スラット１２を用いた第二シャッターカーテン１３を連結することが可能となる。このように、予め、内周形状が共通する巻き取りドラム４に外嵌可能となるように形成され、かつ、外周に、所定のスラット形状に対応する補正リングを複数種類用意し、これらを適宜取り換えて巻き取りドラム４に外嵌することで、種々の意匠のシャッターカーテンを連結することができる。この結果、一種類の巻き取りドラム４に対し、スラットに対応する補正リングを取り換えるだけの作業で、多様化されたシャッターカーテンのなかから選択したものを重量バランスよく巻き取りドラム４に巻装することが可能となり、部材の共通化が果せて汎用性を高めることができるうえ、在庫管理を容易に行うことができる。
【００３０】
しかも、このものでは、第一、第二補正リング６、９は、それぞれ分断部Ｓ、あるいは、第一、第二分断部Ｓ１、Ｓ２が形成されていて、分断部Ｓまたは第一分断部Ｓ１を拡開して巻き取りドラム４に外嵌する構成であるので、予め一体的なリング状体となっているもののように、巻き取りドラム４の軸芯方向一端部側から補正リングを嵌め込んで、所定の位置にまでスライドさせるような必要がなく、取り付けたい位置の径方向外方から補正リング６または９を装着することができ、補正リング６または９の装着作業の作業性が向上する。
【００３１】
また、このものでは、分断部Ｓ、または、第一分断部Ｓ１における何れか一方の端部に、係止爪６ｆ、１０ｃがそれぞれ設けられているので、係止爪６ｆ、１０ｃを固定用長溝４ｃに係止させた状態とすることで、第一、第二補正リング６、９を巻き取りドラム４に対して回り止めした状態とすることができるので、補正リング６、９の巻き取りドラム４への取り付け、固定作業を一層容易にすることができる。
【００３２】
尚、本発明は、前記実施の形態に限定されないことは勿論であって、補正リングは二種類を用意するだけでなく、共通の巻き取りドラムに外嵌可能で、異なるスラット連結部が形成された種々のものを用意することで、一種類の巻き取りドラムに対して多くの意匠のシャッターカーテンを連結することが可能となり、意匠の選択の自由度が向上する。
【図面の簡単な説明】
【００３３】
【図１】建築用シャッターの概略正面図である。
【図２】巻き取りドラムの全体正面図である。
【図３】図３（Ａ）、（Ｂ）はそれぞれ第一補正リングの正面図、側面図である。
【図４】図４（Ａ）、（Ｂ）、（Ｃ）はそれぞれ第一補正リングの取り付け状態を説明する側面図である。
【図５】図５（Ａ）、（Ｂ）、（Ｃ）はそれぞれ第一補正リングの取り付け状態を説明する側面図である。
【図６】巻き取りドラムに第一スラットを巻装した状態を説明する側面図である。
【図７】図７（Ａ）、（Ｂ）はそれぞれ第二補正リングの正面図、側面図である。
【図８】図８（Ａ）、（Ｂ）、（Ｃ）はそれぞれ第二補正リングの取り付け状態を説明する側面図である。
【図９】図９（Ａ）、（Ｂ）、（Ｃ）はそれぞれ第二補正リングの取り付け状態を説明する側面図である。
【図１０】巻き取りドラムに第二スラットを巻装した状態を説明する側面図である。
【符号の説明】
【００３４】
１    第一シャッターカーテン
２    第一スラット
４    巻き取りドラム
４ｃ    固定用長溝
６    第一補正リング
６ａ    一方端部
６ｂ    他方端部
６ｄ    係止凹部
６ｆ    係止爪
６ｇ    係止突部
７    止め螺子
８    螺子受けプレート
【図１】
2007138570.tif 000003
【図２】
2007138570.tif 000004
【図３】
2007138570.tif 000005
【図４】
2007138570.tif 000006
【図５】
2007138570.tif 000007
【図６】
2007138570.tif 000008
【図７】
2007138570.tif 000009
【図８】
2007138570.tif 000010
【図９】
2007138570.tif 000011
【図１０】
2007138570.tif 000012